(57)【特許請求の範囲】
【請求項１】
入力された１系統の入力映像コンテンツ又は複数系統の入力映像コンテンツの各々を解像度変換して出力するか、解像度変換せずに出力するかを切り替え可能な第１の解像度変換部と、
前記第１の解像度変換部に接続され、前記第１の解像度変換部から出力された複数系統の映像コンテンツをマルチ画面表示の形態に合成して１系統の合成映像コンテンツとして出力するか、前記第１の解像度変換部から出力された１系統の映像コンテンツを合成せずに出力するかを切り替え可能な合成部と、
前記合成部に接続され、前記合成部から出力された１系統の映像コンテンツまたは前記１系統の合成映像コンテンツを解像度変換して出力するか、解像度変換せずに出力するかを切り替え可能な第２の解像度変換部であって、前記第１の解像度変換部よりも高画質な解像度変換を行うことが可能な第２の解像度変換部と、
前記第１の解像度変換部、前記第２の解像度変換部、及び前記合成部の動作を制御する制御部と、を有し、
前記制御部は、
前記複数系統の入力映像コンテンツをマルチ画面表示する場合には、前記合成部に前記第１の解像度変換部により出力された複数系統の映像コンテンツの合成を行わせ、前記複数系統の入力映像コンテンツの各々について解像度変換を行う場合は前記第１の解像度変換部に該入力映像コンテンツの解像度変換を行わせ、
前記１系統の入力映像コンテンツを単一画面表示する場合には、前記合成部に前記第１の解像度変換部から出力された１系統の映像コンテンツの合成を行わせず、前記１系統の入力映像コンテンツについて解像度変換を行う場合は前記第１の解像度変換部ではなく前記第２の解像度変換部に前記１系統の映像コンテンツの解像度変換を行わせるように制御することを特徴とする表示制御装置。
【請求項２】
さらに、前記１系統の入力映像コンテンツを単一画面表示するか、前記複数系統の入力映像コンテンツをマルチ画面表示するかの設定情報を取得する取得部を有し、
前記制御部は、前記取得部により取得された設定情報に従って、前記第１の解像度変換部、前記第２の解像度変換部、及び前記合成部を制御することを特徴とする請求項１に記載の表示制御装置。
【請求項３】
前記制御部は、
前記複数系統の入力映像コンテンツをピクチャアンドピクチャ表示の表示形態でマルチ画面表示する場合には、前記第１の解像度変換部に前記複数系統の入力映像コンテンツの解像度変換を行わせ、
前記複数系統の入力映像コンテンツをピクチャインピクチャ表示の表示形態でマルチ画面表示する場合には、前記第１の解像度変換部に、前記複数系統の入力映像コンテンツのうち主となる映像コンテンツの解像度変換を行わせず、副となる映像コンテンツの解像度変換を行わせるように制御することを特徴とする請求項１又は２に記載の表示制御装置。
【請求項４】
前記制御部は、
前記入力映像コンテンツの解像度が表示する際の表示解像度と異なる場合に、前記第１の解像度変換部または前記第２の解像度変換部に解像度変換を行わせ、
前記入力映像コンテンツの解像度が表示する際の表示解像度と等しい場合に、前記第１の解像度変換部または前記第２の解像度変換部に解像度変換を行わせないように制御することを特徴とする請求項１乃至３の何れか１項に記載の表示制御装置。
【請求項５】
前記表示制御装置がジャストスキャン表示モードで動作している際に、
前記制御部は、
前記合成部から出力された映像コンテンツの解像度が表示する際の表示解像度と等しい場合に、前記第２の解像度変換部に前記合成部から出力された映像コンテンツの解像度変換を行わせず、
前記合成部から出力された映像コンテンツの解像度が表示する際の表示解像度と異なる場合は、前記第２の解像度変換部に前記合成部から出力された映像コンテンツの解像度変換を行わせるように制御することを特徴とする請求項１乃至４の何れか１項に記載の表示制御装置。
【請求項６】
前記第２の解像度変換部は、前記表示制御装置がオーバースキャン表示モードで動作している場合に、前記合成部から出力された映像コンテンツのうち、オーバースキャン表示する領域を切り出し、当該切り出した領域を表示する際の表示解像度に解像度変換して出力することが可能であり、
前記制御部は、
前記複数系統の入力映像コンテンツをマルチ画面表示する場合および前記１系統の入力映像コンテンツを単一画面表示する場合の両方において、前記第２の解像度変換部に、前記オーバースキャン表示する領域を表示する際の表示解像度に変換させるように制御することを特徴とする請求項１乃至５の何れか１項に記載の表示制御装置。
【請求項７】
入力された１系統の入力映像コンテンツ又は複数系統の入力映像コンテンツの各々を解像度変換して出力するか、解像度変換せずに出力するかを切り替え可能な第１の解像度変換部と、
前記第１の解像度変換部に接続され、前記第１の解像度変換部から出力された複数系統の映像コンテンツをマルチ画面表示の形態に合成して１系統の合成映像コンテンツとして出力するか、前記第１の解像度変換部から出力された１系統の映像コンテンツを合成せずに出力するかを切り替え可能な合成部と、
前記合成部に接続され、前記合成部から出力された１系統の映像コンテンツまたは前記１系統の合成映像コンテンツを解像度変換して出力するか、解像度変換せずに出力するかを切り替え可能な第２の解像度変換部であって、前記第１の解像度変換部よりも高画質な解像度変換を行うことが可能な第２の解像度変換部と、
前記第１の解像度変換部、前記第２の解像度変換部、及び前記合成部の動作を制御する制御部と、を有し、
前記第２の解像度変換部は、表示制御装置がオーバースキャン表示モードで動作している場合に、前記合成部から出力された映像コンテンツのうち、オーバースキャン表示する領域を切り出し、当該切り出した領域を表示する際の表示解像度に解像度変換して出力することが可能であり、
前記制御部は、前記第２の解像度変換部に、前記オーバースキャン表示する領域を表示する際の表示解像度に変換させるように制御することを特徴とする表示制御装置。
【請求項８】
前記複数系統の入力映像コンテンツをマルチ画面表示する場合および前記１系統の入力映像コンテンツを単一画面表示する場合の両方において、前記第２の解像度変換部に、前記オーバースキャン表示する領域を表示する際の表示解像度に変換させるように制御することを特徴とする請求項７に記載の表示制御装置。
【請求項９】
前記第１の解像度変換部と前記第２の解像度変換部が、異なる集積回路に含まれることを特徴とする請求項１乃至８の何れか１項に記載の表示制御装置。
【請求項１０】
さらに、前記第２の解像度変換部から出力された映像コンテンツに高画質化処理を適用し、表示部へ出力する高画質化部を有することを特徴とする請求項１乃至９の何れか１項に記載の表示制御装置。
【発明の詳細な説明】
【技術分野】
【０００１】
本発明は、表示制御装置及びその制御方法に関し、特に、複数系統の映像コンテンツをマルチ画面表示可能な表示制御装置及びその制御方法に関する。
【背景技術】
【０００２】
テレビ受像機等の表示制御装置の表示領域の解像度やアスペクト比は、表示制御装置の多様化に伴い様々である。例えばテレビ受像機は、従来のアナログ放送専用の機器とハイビジョン対応の機器とでは表示解像度が大きく異なる。また、表示領域のアスペクト比も４：３であったものから、１６：９のものに推移してきている。また、映像コンテンツのアスペクト比や解像度も多様化している。
【０００３】
そのため、映像コンテンツを表示する際には、映像コンテンツと、映像コンテンツを表示する表示領域との解像度やアスペクト比の組み合わせに応じて、映像コンテンツの解像度を変換する必要がある。解像度とアスペクト比の組み合わせは多様であるため、組み合わせ毎に個別の解像度変換回路を設けることは現実的でない。そのため、異なる解像度変換を行う回路を用意し、個々の回路で実現できる解像度変換を映像コンテンツに多段階に適用することで、所望の解像度変換処理を実現し、回路規模を低減することが提案されている。
特許文献１では、垂直及び水平方向の解像度変換を行う回路と、水平方向のみ解像度変換を行う回路とを設け、垂直方向の解像度変換が不要な映像コンテンツには後者だけを適用し、個別の解像度変換回路を設けることなく様々な解像度変換に対応している。
【０００４】
一方、近年、デジタル放送の開始により、表示制御装置の解像度が向上している。また、表示品質を向上させる手段として、映像コンテンツの画質を向上させる高画質化処理回路を有する表示制御装置も市販されている。高画質化処理には例えば、ノイズリダクション、輝度信号の高域成分の強調・減衰、エッジ強調、色補正等があり、映像コンテンツの輝度情報やコントラスト情報等を用いることで、入力映像コンテンツの画質を補正している。
【先行技術文献】
【特許文献】
【０００５】
【特許文献１】特開２００７−１３７３９号公報
【発明の概要】
【発明が解決しようとする課題】
【０００６】
一般的なテレビ受像機が備える放送受信ＬＳＩは、放送信号の受信や復号化の機能だけでなく、映像コンテンツの解像度変換処理機能や、複数の映像コンテンツをマルチ画面表示するための合成機能を有している。そして、テレビ受像機では、放送コンテンツはもちろん、ＤＶＤプレーヤなどの映像再生装置から入力される蓄積コンテンツについても、放送受信ＬＳＩが有するこれらの機能を適用して表示している。
【０００７】
従って、このような放送受信ＬＳＩを備えるテレビ受像機が表示する映像コンテンツを高画質化する場合、放送受信ＬＳＩが出力する映像コンテンツに対して高画質化処理を適用することになる。一方、高画質化ＬＳＩは、様々な入出力解像度に対応した高画質化処理機能を提供するため、解像度変換処理回路を備えている。高画質化処理の効果は高画質化処理を適用する映像の品質に依存する。そのため、高画質化ＬＳＩでは、良好な高画質処理結果を得るために、放送受信ＬＳＩが備える解像度変換機能より一般には高性能な解像度変換機能を提供する。従って、上述した放送受信ＬＳＩを備えるテレビ受像機が表示する映像コンテンツを、高画質化ＬＳＩを用いて高画質化する場合、放送受信ＬＳＩが備える解像度変換機能よりも、高画質化ＬＳＩが備える解像度変換機能を利用することが好ましい。しかし、高画質化ＬＳＩが１系統の映像コンテンツの解像度変換機能のみ提供する場合、複数系統の映像コンテンツをマルチ画面表示するための解像度変換処理は、放送受信ＬＳＩが有する解像度変換機能を用いる必要がある。そのため、マルチ画面表示する映像コンテンツについては、高画質化ＬＳＩによる高画質化処理の効果を十分に得られないという問題があった。
【０００８】
本発明は、上述の問題点を鑑みてなされたものである。本発明は、複数の映像コンテンツをマルチ画面表示可能であり、性能の異なる複数の解像度変換機能を備える表示制御装置及びその制御方法において、複数の解像度変換機能の効率的な使用を可能とすることを目的とする。
【課題を解決するための手段】
【０００９】
前述の目的を達成するために、本発明の表示制御装置は、以下の構成を備える。
本発明は、入力された１系統の入力映像コンテンツ又は複数系統の入力映像コンテンツの各々を解像度変換して出力するか、解像度変換せずに出力するかを切り替え可能な第１の解像度変換部と、第１の解像度変換部に接続され、第１の解像度変換部から出力された複数系統の映像コンテンツをマルチ画面表示の形態に合成して１系統の合成映像コンテンツとして出力するか、第１の解像度変換部から出力された１系統の映像コンテンツを合成せずに出力するかを切り替え可能な合成部と、合成部に接続され、合成部から出力された１系統の映像コンテンツまたは１系統の合成映像コンテンツを解像度変換して出力するか、解像度変換せずに出力するかを切り替え可能な第２の解像度変換部であって、第１の解像度変換部よりも高画質な解像度変換を行うことが可能な第２の解像度変換部と、第１の解像度変換部、第２の解像度変換部、及び合成部の動作を制御する制御部と、を有し、制御部は、複数系統の入力映像コンテンツをマルチ画面表示する場合には、合成部に第１の解像度変換部により出力された複数系統の映像コンテンツの合成を行わせ、複数系統の入力映像コンテンツの各々について解像度変換を行う場合は第１の解像度変換部に該入力映像コンテンツの解像度変換を行わせ、１系統の入力映像コンテンツを単一画面表示する場合には、合成部に第１の解像度変換部から出力された１系統の映像コンテンツの合成を行わせず、１系統の入力映像コンテンツについて解像度変換を行う場合は第１の解像度変換部ではなく第２の解像度変換部に１系統の映像コンテンツの解像度変換を行わせるように制御することを特徴とする。
【発明の効果】
【００１０】
このような構成により本発明によれば、複数の映像コンテンツをマルチ画面表示可能であり、性能の異なる複数の解像度変換機能を備える表示制御装置及びその制御方法において、複数の解像度変換機能を効率的に使用できる。
【図面の簡単な説明】
【００１１】
【図１】本発明の実施形態に係る表示制御装置の一例としてのテレビ受像機の機能構成例を示すブロック図。
【図２】本発明の実施形態に係るテレビ受像機における映像コンテンツの表示制御処理を説明するためのフローチャート。
【図３】映像コンテンツの表示形態の例を示す図。
【発明を実施するための形態】
【００１２】
以下、本発明の好適かつ例示的な実施形態について、図面を参照して詳細に説明する。なお、以下に説明する実施形態は、マルチ画面表示可能な表示制御装置の１例としての、２系統の放送コンテンツを２画面（マルチ画面）表示可能なテレビ受像機に、本発明を適用した例を説明する。しかし、本発明は、２以上の複数系統の映像コンテンツを１つの表示装置にマルチ画面表示させることが可能な任意の機器に適用可能である。また、本明細書において、「複数系統の映像コンテンツ」とは、系統毎に独立した信号で入力されてもよいし、複数の映像コンテンツが多重化された１系統の信号で入力されてもよい。また、映像コンテンツはＤＶＤやビデオレコーダ等に記録された蓄積映像コンテンツでも、リアルタイムで配信される放送コンテンツでもよい。また、同一の映像コンテンツを複数の画面に並列表示する場合も、複数系統の映像コンテンツのマルチ画面表示として取り扱う。
【００１３】
図１は、本発明の実施形態にかかるテレビ受像機１００の機能構成例を示すブロック図である。テレビ受像機１００は、２系統の放送コンテンツを１画面に合成して出力する機能を有する放送受信部１０と、放送受信部１０から出力された映像に高画質化処理を適用する画像処理部２０とを有する。テレビ受像機１００はさらに、画像処理部２０から出力された映像を表示する表示パネル３０（表示部）を有する。リモートコントローラ２は、ユーザがテレビ受像機１００に指示を与えるための入力機器の一例である。ここで、放送受信部１０はテレビ受像機１００が一般的に備える放送受信ＬＳＩの機能であり、画像処理部２０は付加された高画質化ＬＳＩが備える機能であってよい。この場合、放送受信部１０と画像処理部２０は、個別の半導体集積回路に含まれる。
【００１４】
放送受信部１０において、ユーザ入力受信部１１はリモートコントローラ２から送信されるユーザ指示を受信し、前段制御部１３に通知する。不揮発性メモリ１２は、テレビ受像機１００の動作に必要な各種設定や、前段制御部１３が実行するプログラムなどを記憶する。不揮発性メモリ１２が記憶する各種設定としては、例えば視聴チャンネル設定、表示画質設定を始め、映像コンテンツの表示に関する設定が含まれる。表示に関する設定には、表示する映像コンテンツ数、各映像コンテンツの解像度設定等が含まれる。
【００１５】
前段制御部１３は放送受信部１０の動作を、後段制御部２２は画像処理部２０の動作を、それぞれ制御する。また、前段制御部１３と後段制御部２２とは、前段通信部１４及び後段通信部２１を介して相互に通信可能であり、必要に応じて通信しながら、後述するマルチ画面表示処理を始めとした、テレビ受像機１００全体の動作を制御する。前段制御部１３と後段制御部２２は例えばＣＰＵ、ＲＯＭ、ＲＡＭ（図示せず）を有し、ＲＡＭを用いてＲＯＭや不揮発性メモリ１２に記憶されたプログラムを実行して各部を制御することにより、テレビ受像機１００の機能を実現する。
【００１６】
第１放送信号処理部１５及び第２放送信号処理部１６は放送信号１を受信し、複数の映像コンテンツが多重化された放送信号１から、視聴チャンネル設定に応じた映像コンテンツを分離、復号する。復号された映像コンテンツは、それぞれ接続されている第１解像度変換部１７と第２解像度変換部１８へ出力される。前段制御部１３は、例えばリモートコントローラ２からの指示により視聴チャンネル設定が変更されると、変更された設定に対応する放送信号処理部に通知する。通知を受けた放送信号処理部は、分離、復号するチャンネルを新たな設定に応じて変更するとともに、不揮発性メモリ１２に現在の視聴チャンネル設定を記憶する。また、前段制御部１３は画面表示設定が２系統表示（マルチ画面表示）から１系統表示（単一画面表示）に変更された場合、第２放送信号処理部１６及び第２解像度変換部１８の動作を停止させる。
【００１７】
また、第１放送信号処理部１５と第２放送信号処理部１６は、分離した映像コンテンツの解像度を判別し、前段制御部１３に通知する。前段制御部１３は、通知された解像度を不揮発性メモリ１２に記憶する。第１解像度変換部１７は、前段制御部１３の指示に応じて、第１変換起動状態と第１変換停止状態のいずれかで第１放送信号処理部１５が出力した映像コンテンツを処理する。具体的には、第１解像度変換部は、第１変換起動状態では、第１放送信号処理部１５が出力した映像コンテンツの解像度を変換して出力する。また、第１解像度変換部は、第１変換停止状態では、第１放送信号処理部１５が出力した映像コンテンツの解像度を変換せずにそのまま出力する。また、第２解像度変換部１８は、前段制御部１３の指示に応じて、第２放送信号処理部１６が出力した映像コンテンツの解像度を変換する。
【００１８】
第１解像度変換部１７及び第２解像度変換部１８における変換後の解像度は、画面表示設定と表示パネル３０における表示解像度とに応じて前段制御部１３が決定し、第１解像度変換部１７及び第２解像度変換部１８に供給する。本実施形態では、不揮発性メモリ１２は、予め画面表示設定（１系統表示、２系統表示および２系統表示の表示形態）に対応付けて設定されている各画面の解像度の情報（変換後の解像度）を有している。そして、前段制御部１３は、入力された放送コンテンツの解像度と、画面表示設定に対応付けられた変換後の解像度とを第１解像度変換部１７及び第２解像度変換部１８に供給し、解像度変換処理の制御を行う（第１の解像度変換）。
【００１９】
合成部１９は、前段制御部１３の指示に応じて、合成起動状態と、合成停止状態のいずれかで１系統又は２系統の映像コンテンツを処理する。具体的には、合成部１９は、合成起動状態では画面表示設定が示すマルチ画面表示の表示形態に応じて２系統の映像コンテンツを合成し、１系統の合成映像コンテンツとして出力する。また、合成部１９は、合成停止状態では入力された１系統の映像コンテンツを合成せずにそのまま出力する。なお、前段制御部１３が供給する第１の解像度変換における変換後の解像度は、合成起動状態において合成部１９が出力する合成映像コンテンツの解像度が表示パネル３０における表示解像度となるように予め設定されている。また、映像コンテンツ（の画像）及び画面の解像度はいずれも画素数で表され、表示パネル３０の画素の大きさは固定であるため、表示パネル３０の解像度は画面の大きさをも表す。
【００２０】
図３に、単一画面表示とマルチ画面表示の代表的な表示形態の例を示す。図３（ａ）は、１系統表示（単一画面表示）の例を示す図である。また、複数系統表示（マルチ画面表示）の例として、図３（ｂ）と図３（ｃ）を示す。図３（ｂ）は、複数系統の映像コンテンツを表示領域が重ならないように並べて表示するピクチャアンドピクチャ表示（ＰａｎｄＰ）の表示形態である。また、図３（ｃ）は、主映像コンテンツの画面に副映像コンテンツの画面が含まれるピクチャインピクチャ表示（ＰｉｎＰ）の表示形態である。
【００２１】
第３解像度変換部２３は、後段制御部２２の制御に従い、第３変換起動状態と第３変換停止状態のいずれかで、合成部１９から出力された映像コンテンツを処理する。具体的には、第３解像度変換部２３は、第３変換起動状態では、合成部１９から出力された映像コンテンツの解像度を変換して出力する。また、第３解像度変換部２３は、第３変換停止状態では、合成部１９から出力された映像コンテンツの解像度を変換せずにそのまま出力する。第３解像度変換部２３における変換後の解像度は、画面表示設定と表示パネル３０における表示解像度とに応じて前段制御部１３が決定する。前段制御部１３は、決定した解像度を、前段通信部１４と後段通信部２１を介して後段制御部２２に伝送する。そして、後段制御部２２は、前段制御部１３から伝送された解像度を第３解像度変換部２３に供給して、入力された映像コンテンツに解像度変換処理を適用する（第２の解像度変換）。
【００２２】
なお、本実施形態では、前段制御部１３が供給する第２の解像度変換における変換後の解像度は、第３解像度変換部２３が出力する合成映像コンテンツの解像度が表示パネル３０における表示解像度となるように予め不揮発性メモリ１２に設定されている。
【００２３】
なお、放送受信部１０が備える第１及び第２解像度変換部１７及び１８よりも、画像処理部２０が備える第３解像度変換部２３の解像度変換処理は高性能であり、高画質な解像度変換結果を得ることができるものとする。第３解像度変換部２３の解像度変換処理は例えば補間画素を生成するアルゴリズムにおいて第１及び第２解像度変換部１７及び１８より優れている。具体的には、第３解像度変換部２３は、映像コンテンツを拡大した際の斜め線とその角度を検出し、斜め線の角度に適したフィルタ係数で補間画素を生成する。一方、第１及び第２解像度変換部１７及び１８ではこのような斜め線の角度を考慮した補間画素の静止を行わない。この結果、第３解像度変換部２３が行う解像度変換処理の方が、第１解像度変換部１７及び第２解像度変換部１８が行う解像度変換処理よりも、映像コンテンツを拡大した際の斜め線が滑らかである出力結果を得ることができる。
【００２４】
高画質化処理部２４は第３解像度変換部２３が出力した映像コンテンツに高画質化処理を適用し、高画質化映像コンテンツを出力する。高画質化処理は、入力された映像コンテンツの画質を向上させる任意の処理でよく、例えばノイズリダクションやカラーエンハンサ、色補正等の処理でよい。ここでは、説明及び理解を容易にするため、高画質化処理部２４の入力時と出力時とでは解像度に変化がないものとする。高画質化処理において解像度変換を伴う場合、前段制御部１３が高画質化処理における解像度変換を考慮した解像度の設定値を決定して供給する。決定した解像度の設定値は、第１解像度変換部１７及び第２解像度変換部１８、あるいは第３解像度変換部２３にそれぞれ供給する。高画質化処理部２４から出力された高画質化映像コンテンツは、表示パネル３０へ出力される。
【００２５】
（表示制御処理：ジャストスキャン表示モード）
このような構成をもつ本実施形態のテレビ受像機の、ジャストスキャン表示モードにおける表示制御処理について、図２に示すフローチャートをさらに用いて説明する。なお、ジャストスキャン表示モードとは、映像コンテンツの全ての画素が表示パネル３０に表示するモードである。
【００２６】
まずＳ２０１で、前段制御部１３は、ユーザ入力受信部１１を通じ、画面表示設定の変更要求が入力されたか判断する。なお、電源投入時などにおいては、Ｓ２０１において、例えば不揮発性メモリ１２に保存された直前の画面表示設定情報を取得しても良い。
【００２７】
Ｓ２０２で前段制御部１３は、画面表示設定が、１系統表示（単一画面表示）設定か、２系統表示（マルチ画面表示）設定かを判断する。
ここで、１系統表示設定であると判断された場合、前段制御部１３は第１解像度変換部１７を第１変換停止状態に、合成部１９を合成停止状態に切り替え、さらに、第２放送信号処理部１６及び第２解像度変換部１８の動作を停止させる（Ｓ２０３）。さらに前段制御部１３は、前段通信部１４と後段通信部２１を介し、後段制御部２２に１系統表示を行うことを通知する。また、前段制御部１３は、第１放送信号処理部１５が受信・分離・復号した放送コンテンツの解像度情報（合成部１９から出力される映像コンテンツの解像度情報と等しい）を、後段制御部２２に伝える。後段制御部２２は、１系統表示の通知を受け、入力された放送コンテンツの解像度情報と表示パネル３０における表示解像度の情報とによって、第３解像度変換部２３の状態を切り替える（Ｓ２０４）。具体的には、２つの解像度情報が異なる場合は、第３解像度変換部２３を第３変換起動状態にし（Ｓ２０５）、２つの解像度情報が同じ場合は、第３解像度変換部２３を第３変換停止状態にする（Ｓ２０６）。
【００２８】
第１放送信号処理部１５は受信している放送信号１から視聴チャンネル設定に従って１つの放送コンテンツを分離、復号し、第１解像度変換部１７へ出力する。また、第１放送信号処理部１５は、分離、復号した放送コンテンツの解像度を判別し、前段制御部１３に通知する。前段制御部１３は、通知された解像度を不揮発性メモリ１２へ記憶する。第１解像度変換部１７は第１変換停止状態に切り替えられているため、入力された放送コンテンツをそのまま合成部１９へ出力する。合成部１９は合成停止状態に切り替えられているため、入力された放送コンテンツをそのまま画像処理部２０の第３解像度変換部へ伝送する。第３解像度変換部２３は第３変換起動状態に切り替えられている場合は入力された放送コンテンツの解像度を変換し、第３変換停止状態に切り替えられている場合は入力された放送コンテンツの解像度を変換せずに、高画質化処理部２４へそれぞれ出力する。例えば、入力された放送コンテンツがＳＤ（Ｓｔａｎｄａｒｄ Ｄｅｆｉｎｉｔｉｏｎ：６４０×４８０画素）解像度、表示パネル３０における表示解像度がＨＤ（Ｈｉｇｈ Ｄｅｆｉｎｉｔｉｏｎ：１９２０×１０８０画素）解像度である場合、第３解像度変換部２３は入力された放送コンテンツの解像度をＳＤ解像度からＨＤ解像度に変換する。また、入力された放送コンテンツがＨＤ解像度、表示パネル３０における表示解像度がＨＤ解像度である場合は、第３解像度変換部２３は第３変換停止状態に切り替えられているため、入力された放送コンテンツの解像度を変換せずに出力する。表示画質設定に従い、高画質化処理部２４は放送コンテンツに高画質化処理を適用し、高画質化映像コンテンツを表示パネル３０へ伝送し表示する。
【００２９】
一方、Ｓ２０２において、画面表示設定が２系統の放送コンテンツのマルチ表示設定（２系統表示）であると判断された場合、前段制御部１３は合成部１９を合成起動状態に切り替え、さらに、第２放送信号処理部１６及び第２解像度変換部１８を起動させる。さらに前段制御部１３は、前段通信部１４と後段通信部２１を介し、後段制御部２２に２系統表示が設定されたことを通知する。後段制御部２２は、この通知に応答して、第３解像度変換部２３を第３変換停止状態に切り替える（Ｓ２０７）。また、前段制御部１３は、２系統表示（画面表示設定）に対応付けて予め定められた解像度の設定値を、例えば不揮発性メモリ１２から読み出し、第１解像度変換部１７及び第２解像度変換部１８へ供給する。前段制御部１３は、第１放送信号処理部１５が受信・分離・復号した放送コンテンツの解像度情報と、２系統表示に対応付けて予め定められた解像度の情報とによって、第１解像度変換部１７の状態を切り替える（Ｓ２０８）。具体的には、２つの解像度情報が異なる場合は、第１解像度変換部１７を第１変換起動状態にし（Ｓ２０９）、２つの解像度情報が同じ場合は、第１解像度変換部１７を第１変換停止状態にする（Ｓ２１０）。
【００３０】
第１放送信号処理部１５及び第２放送信号処理部１６は受信している放送信号１から視聴チャンネル設定に従って放送コンテンツを分離、復号し、第１解像度変換部１７及び第２解像度変換部１８へ出力する。また、第１放送信号処理部１５及び第２放送信号処理部１６は、入力された各放送コンテンツの解像度を判別し、前段制御部１３に通知する。前段制御部１３は通知された解像度を不揮発性メモリ１２へ記憶する。第１解像度変換部１７は第１変換起動状態では入力された放送コンテンツの解像度を変換し、合成部１９へ出力する。第２解像度変換部１８は、入力された放送コンテンツの解像度を変換し、合成部１９へ出力する。例えば、入力された放送コンテンツがＨＤ解像度で表示パネル３０における表示解像度がＨＤ解像度である場合、ピクチャアンドピクチャ表示に必要な解像度変換は次のように処理する。第１解像度変換部１７および第２解像度変換部１８はそれぞれ、放送コンテンツの解像度をＨＤ解像度（１９２０×１０８０画素）から例えばその４分の１の解像度（９６０×５４０画素）に変換する。また、例えば入力された放送コンテンツがＨＤ解像度で表示パネル３０における表示解像度がＨＤ解像度である場合、ピクチャインピクチャ表示に必要な解像度変換は次のように処理する。第１解像度変換部１７は入力される放送コンテンツの解像度と出力する映像コンテンツの解像度が同じであり、第１変換停止状態に切り替えられているため、解像度変換処理は第２解像度変換部１８でのみ行う。合成部１９は合成起動状態に切り替えられているため、同時表示の形態に従い、２系統の放送コンテンツを合成し、１系統の合成映像コンテンツとして、画像処理部２０の第３解像度変換部２３へ伝送する。合成部１９は、表示パネル３０における表示解像度にと同じ解像度の合成映像コンテンツを出力する。例えば、表示パネル３０における表示解像度がＨＤ解像度であり、ピクチャアンドピクチャ表示を行う場合、次のように処理する。例えば、第１解像度変換部１７および第２解像度変換部１８から出力された映像コンテンツの解像度が９６０×５４０画素であるとき、２つの映像コンテンツを左右に並べ、ＨＤ解像度となるよう不足する画素情報を付加して合成映像コンテンツを出力する。
【００３１】
第３解像度変換部２３は第３変換停止状態に切り替えられているため、入力された合成映像コンテンツを解像度変換せずに、そのまま高画質化処理部２４へ出力する。表示画質設定に従い、高画質化処理部２４は合成映像コンテンツに高画質化処理を適用し、高画質化映像コンテンツを表示パネル３０へ伝送し表示する。
【００３２】
本実施形態のテレビ受像機１００における表示制御処理において、前段制御部１３及び後段制御部２２は、第１解像度変換部１７、合成部１９及び第３解像度変換部２３の状態を、画面表示設定に応じて以下の表１又は表２に示すように切り替える。表１は、放送コンテンツの解像度と表示パネル３０における表示解像度が一致しない場合を示し、表２は、放送コンテンツの解像度と表示パネル３０における表示解像度が一致する場合を示している。
【００３３】
【表１】
0005385717.tif 000002
【００３４】
【表２】
0005385717.tif 000003
【００３５】
（表示制御処理：オーバースキャン表示モード）
次に、本実施形態のテレビ受像機の、オーバースキャン表示モードにおける表示制御処理について説明する。オーバースキャン表示モードは、映像コンテンツの最外周部分を除く領域を拡大して表示パネル３０に表示するモードである。
【００３６】
ジャストスキャン表示モードでは、画面表示設定が２系統表示の場合は、第３解像度変換部２３を第３変換停止状態にした。しかし、本実施形態のオーバースキャン表示モードでは、１系統表示と２系統表示の両方において、第３解像度変換部２３が映像コンテンツの補足的な解像度変換を行うため、常に第３解像度変換部２３を第３変換起動状態に切り替える。具体的には、第３解像度変換部２３は、オーバースキャン映像を生成するために、映像コンテンツの外周から数％の領域をカットし、表示パネル３０における表示解像度に合わせる拡大処理（解像度変換処理）を行う。
【００３７】
例えば、第３解像度変換部２３に入力された放送コンテンツの解像度がＳＤ解像度であり、表示解像度がＨＤ解像度である表示パネル３０にオーバースキャン表示モードで１系統表示する場合の、第３解像度変換部２３で行われる処理について考える。第３解像度変換部２３では、入力された放送コンテンツからオーバースキャン表示として設定された領域（ＳＤ解像度以下）を切り出し、オーバースキャン映像の解像度であるＨＤ解像度（表示パネル３０における表示解像度と等しい）に変換する。また、画面表示設定が２系統表示（マルチ画面表示）の場合も同様に解像度変換を行うが、第３解像度変換部２３に入力される、合成部１９から出力された合成映像コンテンツは、表示パネル３０における表示解像度と同じ解像度であるとする。また実施形態１のように、２系統表示における第１解像度変換部１７において、入力される放送コンテンツの解像度と出力する放送コンテンツの解像度（表示パネル３０における表示解像度と等しい）とが等しい場合、第１解像度変換部１７は第１変換停止状態とする。
【００３８】
オーバースキャン表示モードのテレビ受像機１００における表示制御処理において、前段制御部１３及び後段制御部２２は、第１解像度変換部１７、合成部１９及び第３解像度変換部２３の状態を、画面表示設定に応じて以下の表３又は表４に示すように切り替える。表３は、放送コンテンツの解像度と表示パネル３０における表示解像度が一致しない場合を示し、表４は、放送コンテンツの解像度と表示パネル３０における表示解像度が一致する場合を示している。
【００３９】
【表３】
0005385717.tif 000004
【００４０】
【表４】
0005385717.tif 000005
【００４１】
なお、本実施形態では２系統の放送コンテンツの２画面表示における処理について記述したが、３系統以上の映像コンテンツが入力される場合にも対応できる。この場合、第１解像度変換部１７や第２解像度変換部１８にあたる前段の解像度変換部を映像コンテンツの系統数分設け、合成部１９において複数系統の映像コンテンツを１系統の合成映像コンテンツに合成すればよい。
【００４２】
また、本実施形態では放送受信部１０を放送受信ＬＳＩで、画像処理部２０を高画質化ＬＳＩで実施する例を記述した。しかし、放送受信部１０と画像処理部２０の機能ブロックをどのようなハードウェアやソフトウェアで実現するかは任意である。例えば、放送受信部１０と画像処理部２０とが１つの集積回路パッケージに含まれていても良いし、少なくとも一部の機能ブロックがソフトウェアにより実現されてもよい。
【００４３】
本実施形態の表示制御装置は、複数系統の映像コンテンツを独立して解像度変換可能な前段解像度変換部と、１系統の映像コンテンツを前段解像度変換部より高画質に解像度変換可能な後段解像度変換部を有する。また、前段解像度変換部と後段解像度変換部の間に、複数系統の映像コンテンツを１系統に合成可能な合成部を有するとともに、後段解像度変換部の出力を高画質化する高画質化処理部とを有する。そして、このような表示制御装置において、映像コンテンツを単一画面表示するか、マルチ画面表示するかに応じて、映像コンテンツの解像度変換を前段解像度変換部もしくは後段解像度変換部で行うかを切り替える。具体的には、合成を行わずに１系統の映像コンテンツを表示する表示形態では、前段解像度変換部で解像度変換を行わずに後段解像度変換部で解像度変換処理を行うように切り替える。これにより、高品質な解像度変換結果に対して高画質化処理できるため、高画質化処理の効果を十分に活かした高画質な映像コンテンツの表示が行える。また、２系統の映像コンテンツをマルチ画面表示する表示形態では、前段解像度変換部で解像度変換処理を行ってから合成部で合成し、後段解像度変換部では解像度変換せずに高画質化処理を適用する。これにより、複数系統の映像コンテンツをマルチ画面表示する際においても、個々の映像コンテンツが高画質化処理の効果を享受することができる。
【００４４】
なお、本実施形態の表示制御装置は、ジャストスキャン表示モードとオーバースキャン表示モードの両方で動作可能なものとして説明したが、どちらか一方の表示モードでのみ動作する表示制御装置であってもよい。
【図１】
0005385717.tif 000006
【図２】
0005385717.tif 000007
【図３】
0005385717.tif 000008